(57)【要約】【課題】人が下りる際、転倒や転落を起こしにくくて、人が怪我をしにくいベッドを提供すること。【解決手段】ベッドが、上面を有するベッド本体１と、上面傾斜機構３とを備えるようにする。上面傾斜機構３で、上記上面の全面をその上面が存在している位置から同じ方向に傾斜させるようにする。このベッドは、ベッド本体１の上面の全面が、同じ方向に傾斜して、ベッドの前方部のみが傾斜したり、ベッドがくの字型に屈曲したりしないから、ベッド本体１からの人の転倒を大きく抑制できる。【選択図】図２
2017118901.tif 000002
【特許請求の範囲】
【請求項１】
上面を有するベッド本体と、
上記上面の全面を上記上面が存在している位置から同じ方向に傾斜させることが可能な上面傾斜機構と
を備えることを特徴とするベッド
【請求項２】
請求項１に記載のベッドにおいて、
使用状態において水平面に対する上記上面の傾斜角度が予め定められた角度になっている状態で上記上面が静止可能であることを特徴とするベッド。
【請求項３】
請求項１または２に記載のベッドにおいて、
カプセル状の被覆部を有し、
上記被覆部と上記ベッド本体とが相俟って室を形成する第１状態と、
上記上面を外部に対して開放可能な第２状態と
を取り得ることが可能であることを特徴とするベッド。
【請求項４】
請求項３に記載のベッドにおいて、
上記第１状態で、上記室の内部と上記室の外部とを連通して、上記室の外部から上記室の内部への薬剤の投入を可能にする薬剤投入用通路を有することを特徴とするベッド。
【請求項５】
請求項１乃至４のいずれか一つに記載のベッドにおいて、
信号の送信が可能な送信部と
生体情報を検知可能な生体情報検知部と
を備え、
上記生体情報検知部からの生体情報を表す信号を、上記送信部を介して外部に送信可能であることを特徴とするベッド。
【請求項６】
請求項５に記載のベッドにおいて、
上記生体情報検知部からの生体情報を表す信号に基づいて上記生体情報を表示可能である表示部を備えることを特徴とするベッド。
【請求項７】
請求項１乃至６のいずれか一つに記載のベッドにおいて、
上記ベッド本体に回動自在かつ上記ベッド本体の向きを変動自在に取り付けられた車輪と、
外部からの上記ベッド本体の移動の情報を表す信号を受ける受信部および上記ベッド本体の移動の情報を入力するための操作部のうちの少なくとも一方と、
上記受信部および上記操作部のうちの少なくとも一方からの信号に基づいて、車輪の向きを調整すると共に、上記車輪を駆動する駆動部と
を備えることを特徴とするベッド。
【発明の詳細な説明】
【技術分野】
【０００１】
本発明は、ベッドに関し、例えば、介護施設や病院で使用されると好適なベッドに関する。
【背景技術】
【０００２】
従来、ベッドとしては、特開２００３−５２７６２号公報（特許文献１）に記載されている介護用ベッドがある。この介護用ベッド（以下、単にベッドという）は、人の上半身を支える背もたれ板を備え、この背もたれ板は、ベッドフレームに対して回転可能になっている。このベッドは、ベッドフレームに対して背もたれ板を回転させることにより、人が上半身のみを起こすことが可能になっている。
【０００３】
上記従来のベッドは、人が上半身のみを起こすことができるから、人がベッドからより円滑に降りることができる。しかしながら、介護や入院等によって長期間ベッドに横たわっている人の場合、筋力等が弱っているため、上記従来のベッド、すなわち、上半身を起こすことができて、ベッドからの人のより円滑な下りが可能となるベッドを使用している場合ですら、人がベッドから転倒したりずれ落ちたり転落したりする場合がある。そして、人が上半身を起こし得るベッドが普及している現在でも、骨折の主要な原因の一つが、ベッドからの転倒や転落となっているのが現実である。
【先行技術文献】
【特許文献】
【０００４】
【特許文献１】特開２００３−５２７６２号公報（第１図）
【発明の概要】
【発明が解決しようとする課題】
【０００５】
そこで、本発明の課題は、人が下りる際、転倒や転落を起こしにくくて、人が怪我をしにくいベッドを提供することにある。
【課題を解決するための手段】
【０００６】
上記課題を解決するため、この発明のベッドは、
上面を有するベッド本体と、
上記上面の全面を上記上面が存在している位置から同じ方向に傾斜させることが可能な上面傾斜機構と
を備えることを特徴としている。
【０００７】
尚、上記上面は、平面でなくても良く、湾曲面であっても良い。また、上記上面を、ベッドにおいて人を支えるために使用する面として定義する。ここで、上記上面は、人を支えるために使用する面であるから、上記上面は、必ずしも人を直接的に支える必要がなく、上記上面は、人を支えるマットレス等を支える面であっても良い。
【０００８】
また、上記同じ方向の要件は、上記上面の全ての点において、傾斜前の法線方向に対して傾斜後の法線方向がなす角度の符号が一致している場合に満たされるものとする。尚、符号は、例えば、方向が時計回りの場合に正として定義でき、方向が反時計回りである場合に負として定義することができる。
【０００９】
本発明によれば、上面の全面を上面が存在している位置から同じ方向に傾斜させることが可能であるから、人がベッドに寝ている状態から人が起立する方向に向けて、ベッドの上面をその上面を起こすように序々に同じ方向に傾斜させることができる。
【００１０】
具体的に述べると、例えば、使用状態において、ベッドの幅方向が略水平方向に延在している状態を維持しながら、ベッドの上面の全面を、人が横たわっている状態から人が起立する方向である鉛直方向上方側に起立させることができる。したがって、人が寝ている状態から人が起立可能な状態までベッドの上面で人の上半身のみならず下半身も含めた人の体全体を支えることができるから、人がベッドから下りる際に転倒や転落が生じることを大きく抑制できる。人は、より立った状態からは転倒しにくのである。
【００１１】
本発明は、ベッドの上面の全体で人の体の全体を支える方式で、かつ、上記上面全体が傾斜するから、ベッドの上面で人を臥位姿勢で保持できて、人をベッドの上面で押圧することによって、立位や半側臥位等の姿勢を実現でき、患者の姿勢が崩れないように保持できる。したがって、筋力が低下した患者や、高齢者や四肢に障害があって自力での姿勢保持が困難な患者であっても、立位など重心が高く不安定な体位を円滑かつ安全に実現できるのである。
【００１２】
また、一実施形態では、
使用状態において水平面に対する上記上面の傾斜角度が予め定められた角度になっている状態で上記上面が静止可能である。
【００１３】
尚、上記上面は、湾曲面であっても良く、傾斜角度は、上記上面の全ての点で一致していなくても良い。しかし、この場合、各点の夫々で、予め定められた傾斜角度が、存在することになる。
【００１４】
また、上記使用状態を、人がベッド本体の上面で支えられている状態として定義する。
【００１５】
上記実施形態によれば、使用状態において水平面に対する上面の傾斜角度が予め定められた角度になっている状態で上面が静止可能であるから、予め定められた角度を起立動作の途中の角度に設定することにより、上面を起立動作の途中で一時的に静止させることができる。したがって、上面を起立動作の途中で静止させることにより、その上面の起立動作の途中の位置で人の血圧の上昇を調整することができる。したがって、血圧が急に上昇することに起因する立ち眩み等の症状が起こりにくいようにすることができる。
【００１６】
仮に、上面が、人がベッドから離れることを想定している角度まで静止せずに一気に上昇したとすると、血圧が急上昇し易くなって、立ち眩み等が起こることがあるのである。
【００１７】
また、上記実施形態によれば、適切な角度で上面を静止させることができるから、患者の視界を変化させることができる。したがって、患者が風景を楽しむことができて、患者に気分転換させることができ、患者がより人間らしい生活を送ることができるようになる。
【００１８】
また、一実施形態では、
カプセル状の被覆部を有し、
上記被覆部と上記ベッド本体とが相俟って室を形成する第１状態と、
上記上面を外部に対して開放可能な第２状態と
を取り得ることが可能である。
【００１９】
尚、上記カプセル状の被覆部は、透明または半透明であることが好ましく、室内の患者が、視覚によって被覆部を介して外部の風景を視認できるのが好ましい。
【００２０】
上記実施形態によれば、上記第１状態でカプセル状の被覆部とベッド本体とで室を形成することができるから、病院等で患者を室内に収容することができる。したがって、病院等で患者に接触する際に、看護婦さん等に、カプセルの外から手をいれることを強制できるから、看護婦さん等にカプセルの外から手を入れる際の手の消毒の必要性を認識させることができる。したがって、院内感染の可能性を大きく抑制できる。
【００２１】
仮に、カプセル状の被覆部がなくて、室を形成できないとすると、看護師さんが患者に触れるのに如何なる妨げも存在しないから、院内感染の可能性が広がることになるのである。具体的に述べると、看護婦さん等は、無意識のうちに汚染された血液をさわっていることがあり、Ｃ型肝炎等が院内で広がることがある。これに対し、本実施形態のように、カプセル外から手をいれることが強制される場合には、患者が消毒した手のみに接触する可能性を格段に高くすることができるのである。
【００２２】
また、一実施形態では、
上記第１状態で、上記室の内部と上記室の外部とを連通して、上記室の外部から上記室の内部への薬剤の投入を可能にする薬剤投入用通路を有する。
【００２３】
上記薬剤を、人の状態を変化させ得る物質として定義する。したがって、上記薬剤には、酸素等の人の状態を変化させ得る気体も含まれる。
【００２４】
上記実施形態によれば、室が形成される第１状態で、室の外部から内部への薬剤の投入を可能にする薬剤投入用通路が存在するから、室を形成した状態で薬剤を簡易に室内に充満させることができる。したがって、室内の患者が、全身の皮膚呼吸によってより自然な状態で薬剤を吸収することができて、人体に負担をかけずに人体に薬剤をより自然かつ迅速に浸透させることができる。
【００２５】
マスクを用いて口から薬物を投与する方法では、マスクと接触する箇所が荒れやすくて、人体に負担がかかり易くなり、かつ、薬剤のマスクからの漏れも生じ易いのである。尚、本実施形態のベッドは、薬剤として、酸素を選択することにより、所謂酸素カプセルとしても使用でき、人を疲労状態からより迅速に回復させることができる。
【００２６】
また、一実施形態では、
信号の送信が可能な送信部と
生体情報を検知可能な生体情報検知部と
を備え、
上記生体情報検知部からの生体情報を表す信号を、上記送信部を介して外部に送信可能である。
【００２７】
上記実施形態によれば、生体情報を検知可能な生体情報検知部を備えるから、ベッド上にいながらにして、例えば、血圧や心電図や体温や脈拍等の生体情報（バイタル情報）を取得できる。
【００２８】
また、上記実施形態によれば、生体情報検知部からの生体情報を表す信号を、送信部を介して外部に送信可能であるから、例えば、ベッド上の患者の生体情報をナースセンターや管制室等の所望の送信先に送信できる。したがって、特に、多数のベッドを有する総合病院等で、多数のベッド上の多数の患者の生体情報を自動的に一元に管理することが可能となって、送信された生体情報に基づく各患者への対応を迅速に行うことができるようになっている。
【００２９】
また、一実施形態では、
上記生体情報検知部からの生体情報を表す信号に基づいて上記生体情報を表示可能である表示部を備える。
【００３０】
上記実施形態によれば、生体情報検知部からの生体情報を表す信号に基づいて生体情報を表示可能である表示部を有するから、患者自身も表示部を介して自己の生体情報を知ることができる。したがって、患者が自己のバイタル情報を認識できるから、患者自身がその情報に基づいて看護婦さん等に自己の健康の異常を伝えることができる。
【００３１】
尚、カプセル状の被覆部を有する場合には、カプセル状の被覆部に有機ＥＬからなる表示部を貼り合わせる等して、表示部を、場所を取らずかつ簡易に配置できる。
【００３２】
また、カプセル状の被覆部を有する場合には、特に、上記表示部が、テレビやＤＶＤや株価等の各種情報を表示可能とすることにより、ベッドをプライベートな個室にすることができる。尚、カプセル状の被覆部を有さない場合であっても、表示部を配置できて、表示部が、テレビやＤＶＤや株価等の各種情報を表示可能であっても良いことは言うまでもない。
【００３３】
また、一実施形態では、
上記ベッド本体に回動自在かつ上記ベッド本体の向きを変動自在に取り付けられた車輪と、
外部からの上記ベッド本体の移動の情報を表す信号を受ける受信部および上記ベッド本体の移動の情報を入力するための操作部のうちの少なくとも一方と、
上記受信部および上記操作部のうちの少なくとも一方からの信号に基づいて、車輪の向きを調整すると共に、上記車輪を駆動する駆動部と
を備える。
【００３４】
上記実施形態によれば、駆動部が、受信部を介して受けた信号と操作部から入力された信号とのうちの少なくとも一方に基づいて、車輪を適切に駆動する。したがって、例えば、看護婦さんが、リモコンを使用して、患者をベッド毎、散歩につれ出すことや、患者が患者自身で所望の箇所に移動することができる。したがって、患者がより人間らしい生活を送ることができる。
【発明の効果】
【００３５】
本発明によれば、人が下りる際、転倒や転落を起こしにくくて、人が怪我をしにくいベッドを実現できる。
【図面の簡単な説明】
【００３６】
【図１】本発明の一実施形態のベッドを示す斜視図であり、そのベッドの人が就寝するときの基本状態を示す斜視図である。
【図２】上記ベッドから人が起き上がるために人がベッドから離れるときの上記ベッドの起立状態を示す斜視図である。
【図３】上記ベッドが上記基本状態と上記起立状態との間にある状態を示す図であり、上記ベッドの中間状態を示す斜視図である。
【図４】上記ベッドの発明の本質を説明するための模式図である。
【図５】本発明のベッドで好適に使用可能なマットレスを示す模式図である。
【図６】上記ベッドを、ベッドの後側（患者の足が位置する側）から見たときの詳細図である。
【図７】図１に示す状態をベッドの側方側から見たときの図である。
【図８】図２に示す状態をベッドの側方側から見たときの図である。
【図９】図３に示す状態をベッドの側方側から見たときの図である。
【図１０】このベッドで想定される看護婦さんが患者をケアしている状態を示す模式図である。
【図１１】本実施形態のベッドの制御系のブロック図である。
【発明を実施するための形態】
【００３７】
以下、本発明を図示の形態により詳細に説明する。
【００３８】
尚、以下の実施例で、上方や下方等、鉛直方向や水平方向を基準とする文言を使用した場合、それは、以下に説明するベッドの車輪５１〜５４が、水平面に接地している状態での方向を表現しているものとする。
【００３９】
図１は、本発明の一実施形態のベッドの人が就寝するときの基本状態を示す斜視図であり、図２は、そのベッドから人が離れるときのベッドの起立状態を示す斜視図である。また、図３は、そのベッドの基本状態と起立状態との間の中間状態を示す斜視図である。
【００４０】
図１に示すように、このベッドは、ベッド本体１と、透明または半透明のカプセル状の被覆部２と、上面傾斜機構３と、送受信部４と、四つの車輪５１〜５４と、制御装置と、表示部と、生体情報検知部と、車輪５１〜５４を駆動するための駆動部とを備える。上記四つの車輪５１〜５４の中心軸は、同一の平面上に位置している。
【００４１】
上記ベッド本体１は、金属、樹脂または木材等の変形不能の素材からなっている。上記ベッド本体１は、上面を有し、その上面の上にマットレスを載置するようになっている。図２に示すように、上記ベッド本体１は、第１車輪５１と第２車輪５２とを連結する車軸に対して回転自在となっている。
【００４２】
図１を参照して、上記被覆部２は、プラスチックからなっている。上記被覆部２は、ベッド本体１に対して回転自在となっている。上記ベッド本体１には、幅軸（図示せず）が取り付けられている。その軸は、ベッド本体１の長手方向の第１車輪５１側とは反対側の端部に位置し、ベッドの幅方向に延在している。また、その軸は、筒状の構造を有し、軸受等の周知の機構でベッド本体１に対して回転自在となっている。
【００４３】
上記被覆部２は、その軸に対して相対移動不可の状態で、その軸の外周面に取り付けられている。上記軸を、ベッド本体１に対して回転させることにより、被覆部２の上記長手方向の第１車輪５１側の端部を、ベッド本体１に対して接離させて、被覆部２の開閉を行うようになっている。
【００４４】
図１に示す状態では、上記被覆部２のベッド本体１側の端面の全面が、ベッド本体１に接触している。この状態では、上記被覆部２とベッド本体１とは相俟って室を形成している。この状態は、第１状態となっている。尚、図１に示す第１状態から被覆部２を上記軸に対して回動すると、被覆部２の長手方向の第１車輪５１側の端部が、ベッド本体１から離れるように移動する。この状態で、マットレスの上面が、外部に対して開放されて、人がベッドから離れることが可能となる。上記被覆部２の長手方向の第１車輪５１側の端部が、ベッド本体１において間隔をおいて位置して、人がベッド本体１から離れることが可能となる状態は、第２状態となっている。
【００４５】
図１に示すように、上記被覆部２は、薬剤投入用通路２１を有し、薬物投入用通路２１は、上記第１状態において被覆部２の外部側と室内側とを連通するようになっている。この薬物投入用通路２１には、薬物を供給する源を、管等を介して接続することが可能となっている。このようして、上記第１状態で形成される室内に薬物を充満させることが可能となっている。
【００４６】
図１および図２を参照して、上記上面傾斜機構３は、第１車軸３１と、第２車軸３２と、第１電動シリンダ３３と、第２電動シリンダ３４と、第１棒状部３５と、第２棒状部３６とを有する。上記第１車軸３１と、第２車軸３２とは、同一であり、第１電動シリンダ３３と、第２電動シリンダ３４とも、同一となっている。また、上記第１棒状部３５と、第２棒状部３６とも同一となっている。
【００４７】
上記第１車軸３１および第２車軸３２の夫々は、一直線上に延在する金属からなっている。上記第１車軸３１および第２車軸３２の夫々は、伸縮不可能となっている。上記第１車軸３１および第２車軸３２の夫々は、ベッドが如何なる状態であっても互いに平行となっている。
【００４８】
上記第１電動シリンダ３３および第２電動シリンダ３４の夫々は、一直線上に延在する金属からなっている。上記第１電動シリンダ３３および第２電動シリンダ３４の夫々は、第１車軸３１の延在方向に直行する方向に延在している。上記第１電動シリンダ３３および第２電動シリンダ３４の夫々の一端部は、第１車軸３１に接続されている一方、第１電動シリンダ３３および第２電動シリンダ３４の夫々の他端部は、第２車軸３２に接続されている。
【００４９】
図１〜図３に示すように、上記第１電動シリンダ３３および第２電動シリンダ３４の夫々は、金属製の円筒部材と、金属製の軸部材とを有している。上記第１電動シリンダ３３および第２電動シリンダ３４の夫々は、上記円筒部材に収容する軸部材の寸法を変動させることにより、長さを変動可能になっている。
【００５０】
上記第１電動シリンダ３３および第２電動シリンダ３４は、互いに連動して動作するようになっている。上記第１電動シリンダ３３および第２電動シリンダ３４は、常時同じ長さを保ちながら、一直線上を伸縮するようになっている。上記第１車軸３１および第２車軸３２の夫々は、ベッドが如何なる状態であっても互いに平行となっている。
【００５１】
上記第１棒状部３５および第２棒状部３６の夫々は、一直線上に延在する金属からなっている。上記第１棒状部３５および第２棒状部３６の夫々は、伸縮不可能となっている。上記第１棒状部３５および第２棒状部３６の夫々は、ベッドが如何なる状態であっても互いに平行となっている。第１棒状部３５および第２棒状部３６の夫々は、第２車軸３２の延在方向に直行する方向に延在している。上記第１棒状部３５および第２棒状部３６の夫々の一端部は、第２車軸３２に接続されている一方、第１棒状部３５および第２棒状部３６の夫々の他端部は、ベッド本体１の底面に接続されている。第１棒状部３５および第２棒状部３６の夫々は、第２車軸３２の中心軸に対して回転自在となっている。
【００５２】
上記第１車軸３１と、第２車軸３２との距離は、第１および第２電動シリンダ３３,３４の伸縮により変動するようになっている。一方、上記第１電動シリンダ３３と、第２電動シリンダ３４とは、不変の距離をおいて対向し、第１棒状部３５と、第２棒状部３６とも、不変の距離をおいて対向している。
【００５３】
図１を参照して、ベッドの人が就寝するときの基本状態では、第１電動シリンダ３３および第２電動シリンダ３４の夫々は、筒部材から軸部材が最も突出する状態となっている。また、図２および図３に示すように、第１電動シリンダ３３および第２電動シリンダ３４の夫々において、この基本状態から軸部材が筒部材に収容させるにつれて、第１電動シリンダ３３および第２電動シリンダ３４の夫々が、収縮する。
【００５４】
ここで、第１棒状部３５および第２棒状部３６の長さが、不変であるから、第１電動シリンダ３３および第２電動シリンダ３４の夫々が、収縮するにつれて、第１棒状部３５および第２棒状部３６の夫々が、必然的に第２車軸３２に対して鉛直方向の上方側に回転することになる。このことから、第１棒状部３５および第２棒状部３６の夫々から、ベッド本体１の底面に鉛直方向上方の力が付与されて、ベッド本体１が起立するようになっている。
【００５５】
図４は、上記ベッドの発明の本質を説明するための模式図である。尚、図４は、模式図であり、図４に示すベッドの形状は、ベッドの現実の形状ではない。また、図４においては、説明に必要がない車輪や上面傾斜機構等の図示は、省略している。
【００５６】
図４に示すように、このベッドのベッド本体１の上面１８の全面は、上面傾斜機構（図１に３で示す）によって上面１８が存在している位置から矢印Ａで示す同じ方向に傾斜することが可能になっている。尚、図４で紙面の下側に示す位置は、上面１８の全面が矢印Ａ側で示す鉛直方向上方側にしか傾斜できず、図２に示す人がベッドから離れる位置は、上面１８の全面が上記矢印Ａ側とは反対側にしか傾斜することができない。しかし、ベッドの上面１８の傾斜が、図１に示す傾斜と、図２に示す傾斜との間の傾斜となっている場合には、上面１８の全面は、矢印Ａ側で示す方向に傾斜可能であると共に、矢印Ａとは反対側の方向にも傾斜できる。このように、この実施形態のベッドは、いずれの位置に上面１８が位置しても、その位置から上面１８の全面が同じ方向（一つのみの同じ方向か、または、二つの同じ方向）に傾斜できるようになっている。
【００５７】
図４に示すように、このベッドは、ベッド本体１の上面１８が如何なる位置にあっても、ベッド本体１の上面１８の全面がその位置から同じ方向に傾斜できることが本質となっている。従来のベッドでは、ベッドの上半身を支える部分だけが、傾斜したり、または、ベッドが「く」の字型に屈曲して、ベッドの中央部が相対的にへこむ（窪む）ものはあったが、いずれのベッドも、ベッド本体の上面の全面が、同じ方向に傾斜することはないのである。
【００５８】
尚、詳述しないが、図４において、参照番号６０は、おくるみ状の包み込みマットレスを示す。この実施形態のベッドは、ベッド本体１の上面１８の全面が、同じ方向に傾斜して、患者が寝ている状態から起立する状態まで上面１８で患者の全身を支持するという従来に例をみない構造を有する。したがって、図４および、図５、すなわち、本発明のベッドで好適に使用可能なマットレス６０を示す模式図に示すように、マットレス６０で患者の前後の両方をくるむことを可能とすると、患者の転倒をより確実に防止できて、患者をより安全に立ち位置まで案内できるのである。尚、図４、５において、参照番号６１は、マットレス６０において患者の前に位置する部分を示し、参照番号６２は、マットレス６０において患者の後に位置する部分を示している。
【００５９】
図６は、上記ベッドを、ベッドの後側（患者の足が位置する側）から見たときの詳細図である。
【００６０】
図６に示すように、上記ベッド本体１は、長手方向の端部に被覆部２側に突出する突出部１９を有する。この突出部１９は、ベッド本体１の上面が、より起立した状態となって、ベッド本体１の延在方向がより鉛直方向に近くなったときに、患者が足の裏を接地するための役割を果たしている。
【００６１】
図７〜図９は、図１〜図３に示す状態をベッドの側方側から見たときの図である。このベッドは、図１および図７に示す患者が横たわる状態と、図２および図８に示す患者がベッドから離れる状態との間の如何なる傾斜角度においても、ベッドを静止させることができるようになっている。
【００６２】
そして、例えば、図２および図８にθ１［°］で示すベッドの最大傾斜角よりも小さい任意の角度θ２（０［°］＜θ２［°］＜θ１［°］）でベッド本体１の上面１８を静止させることができるようになっている。この静止動作は、第１および第２電動シリンダ３３,３４（図１参照）の駆動を停止し、第１および第２電動シリンダ３３,３４の長さを所望の長さとするだけで容易に実現できる。
【００６３】
図１０は、このベッドで想定される看護婦さんが患者をケアしている状態を示す模式図である。
【００６４】
図１０に示すように、このベッドは、ベッド本体１と、被覆部２とが室を構成する第１状態で、看護婦さんが、被覆部２に装着されているゴム状等の手袋を介して患者をケアすることが可能となっている。このことから、看護婦さんから患者へ細菌が感染することを格段に抑制できる。
【００６５】
また、図１０に示すように、このベッドは、表示部９１と、生体情報検知部９２とを備える。上記表示部９１は、患者が所定の位置に寝ている状態で、被覆部２において患者の視野の略中心に対応する部分に位置している。上記表示部９１は、有機ＥＬからなっている。上記表示部９１は、被覆部２の内側に貼り合わされて固定されている。
【００６６】
また、上記生体情報検知部９２は、ベッド本体１に取り付けられている。上記生体情報検知部９２は、血圧測定器と、心電図の測定器と、体温測定器と、脈拍計とを有する。上記生体情報検知部９２で測定された生体情報は、制御装置に送られ、表示部９１で表示可能となっている。尚、生体情報検知部を、血圧測定器、心電図の測定器、体温測定器および脈拍計のうちの一以上で構成しても良い。また、生体情報検知部は、他の生体情報を測定する器をこれに加えるかまたは単独で配置しても良い。
【００６７】
図１１は、本実施形態のベッドの制御系のブロック図である。
【００６８】
このベッドは、制御装置１００を備え、その制御装置１００は、マイクロコンピュータと、入出力回路等からなっている。図１１に示すように、生体情報検知部９２は、生体情報を表す信号を制御装置１００に出力するようになっており、送受信部４は、受信した信号を制御装置１００に出力するようになっている。
【００６９】
また、制御装置１００は、生体情報検知部９２と送受信部４とのうちの少なくとも一方からの信号を受けて、車輪姿勢調整部６９、車輪用駆動モータ７０、表示部９１、第１,２電動シリンダ３３,３４および被覆開閉機構７１のうちの少なくとも一つに制御信号を送信するようになっている。
【００７０】
より詳しくは、このベッドは、ベッド本体１に着脱可能に収容できるリモコン（図示せず）を有し、看護婦さん等の患者の付添人が、リモコンから無線で送受信部４にベッドの移動の情報を表す信号を出力できるようになっている。また、上記制御装置１００は、リモコンからベッドの移動の情報を表す信号を受けると、車輪の姿勢を制御する信号を車輪姿勢調整部６９に出力すると共に、車輪５１〜５４を駆動する信号を車輪駆動用モータ７０に出力するようになっている。このようにして、付添人が、ベッドを所望の位置に移動可能となっている。上記車輪姿勢調整部６９は、車輪５１〜５４の向きを調整し、車輪駆動用モータ７０は、車輪５１〜５４を駆動するようになっている。上記車輪姿勢調整部６９および車輪駆動用モータ７０は、駆動部を構成している。
【００７１】
また、上記制御装置１００は、生体情報検知部９２からの生体情報を表す信号を受けると、表示部９１にその生体情報を表示させるようになっている。また、これと同時に、その生体情報を送受信部４を介してナースセンター等の管制室に無線で送信するようになっている。このようにして、特に、本実施形態のベッドが多数ある場合に、各ベッドの患者の生体情報を、ナースセンター等の管制室で一元に管理できるようになっている。
【００７２】
また、上記制御装置１００は、上記リモコンまたはナースセンター等の管制室からのベッド本体１の上面１８を傾斜させる信号を受けると、その信号に基づいて、第１,２電動シリンダ３３,３４の長さを制御するようになっている。このようにして、水平面に対するベッド本体１の上面１８の傾斜角度を所望の角度に変動させるようになっている。また、上記制御装置１００は、上記リモコンまたはナースセンター等の管制室からのベッドの被覆部２を開閉させる信号を受けると、その信号に基づいて被覆開閉機構７１を制御して、上記第１状態または上記第２状態を実現するようになっている。
【００７３】
上記実施形態によれば、上面１８の全面を上面１８が存在している位置から同じ方向に傾斜させることが可能であるから、人がベッドに寝ている状態から人が起立する方向に向けて、ベッドの上面１８をその上面１８を起こすように序々に同じ方向に傾斜させることができる。したがって、人が寝ている状態から人が起立可能な状態までベッドの上面１８で人の上半身のみならず下半身も含めた人の体全体を支えることができるから、人がベッドから下りる際に転倒や転落が生じることを大きく抑制できる。
【００７４】
本実施形態は、ベッドの上面１８の全体で人の体の全体を支える方式で、かつ、上面１８の全体が傾斜するから、ベッドの上面１８で人を臥位姿勢で保持できて、人をベッドの上面１８で押圧することによって、立位や半側臥位等の姿勢を実現でき、患者の姿勢が崩れないように保持できる。したがって、筋力が低下した患者や、高齢者や四肢に障害があって自力での姿勢保持が困難な患者であっても、立位など重心が高く不安定な体位を円滑かつ安全に実現できるのである。
【００７５】
また、上記実施形態によれば、使用状態において、上面１８を起立動作の途中で静止させることができるから、その上面１８の起立動作の途中の位置で人の血圧の上昇を調整することができる。したがって、血圧が急に上昇することに起因する立ち眩み等の症状が起こりにくいようにできる。
【００７６】
仮に、上面が、人がベッドから離れることを想定している角度まで静止せずに一気に上昇したとすると、血圧が急上昇し易くなって、立ち眩み等が起こることがあるのである。
【００７７】
また、上記実施形態によれば、特に、血圧のコントロールが必須の寝たきりの人達に、血圧のコントロールを行うことができる。
【００７８】
また、上記実施形態によれば、適切な角度で上面１８を静止させることができるから、患者の視界を変化させることができる。したがって、患者が風景を楽しむことができて、患者に気分転換させることができ、患者がより人間らしい生活を送ることができるようになる。
【００７９】
また、上記実施形態によれば、上記第１状態でカプセル状の被覆部２とベッド本体１とで室を形成することができるから、病院等で患者を室内に収容することができる。したがって、病院等で患者に接触する際に、看護婦さん等に、カプセルの外から手をいれることを強制できるから、看護婦さん等にカプセルの外から手を入れる際の手の消毒の必要性を認識させることができる。したがって、院内感染の可能性を大きく抑制できる。
【００８０】
仮に、カプセル状の被覆部２がなくて、室を形成できないとすると、看護師さんが患者に触れるのに如何なる妨げも存在しないから、院内感染の可能性が広がることになるのである。具体的に述べると、看護婦さん等は、無意識のうちに汚染された血液をさわっていることがあり、Ｃ型肝炎等が院内で広がることがある。これに対し、本実施形態のように、カプセル外から手をいれることが強制される場合には、患者が消毒した手のみに接触する可能性を格段に高くすることができるのである。
【００８１】
また、上記実施形態によれば、室が形成される第１状態で、室の外部から内部への薬剤の投入を可能にする薬剤投入用通路２１が存在するから、室を形成した状態で薬剤を簡易に室内に充満させることができる。したがって、室内の患者が、全身の皮膚呼吸によってより自然な状態で薬剤を吸収することができて、人体に負担をかけずに人体に薬剤をより自然かつ迅速に浸透させることができる。
【００８２】
マスクを用いて口から薬物を投与する方法では、マスクと接触する箇所が荒れやすくて、人体に負担がかかり易くなり、かつ、薬剤のマスクからの漏れも生じ易いのである。尚、本実施形態のベッドは、薬剤として、酸素を選択することにより、所謂酸素カプセルとしても使用でき、人を疲労状態からより迅速に回復させることができる。
【００８３】
また、上記実施形態によれば、生体情報を検知可能な生体情報検知部９２を備えるから、ベッド上にいながらにして、例えば、血圧や心電図や体温等の生体情報（バイタル情報）を取得できる。
【００８４】
また、上記実施形態によれば、生体情報検知部９２からの生体情報を表す信号を、送受信部４を介して外部に送信可能であるから、例えば、ベッド上の患者の生体情報をナースセンターや管制室等の所望の送信先に送信できる。したがって、特に、多数のベッドを有する総合病院等で、多数のベッド上の多数の患者の生体情報を自動的に一元に管理することが可能となって、送信された生体情報に基づく各患者への対応が迅速に行い得るようになる。
【００８５】
また、上記実施形態によれば、生体情報検知部９２からの生体情報を表す信号に基づいて生体情報を表示可能である表示部９１を有するから、患者自身も表示部９１を介して自己の生体情報を知ることができる。したがって、患者が自己のバイタル情報を認識できるから、患者自身がその情報に基づいて看護婦さん等に自己の健康の異常を伝えることができる。
【００８６】
尚、この発明では、上記表示部は、生体情報以外の情報、例えば、テレビやＤＶＤ等の各種情報を表示可能となっていても良い。このようにすると、ベッドをプライベートな個室にすることができる。また、この発明では、株価等の時々刻々変化する情報を、送受信部４で漸次受信するようにして、その時々刻々変化する情報を表示部に表示可能としても良い。
【００８７】
また、上記実施形態によれば、送受信部４を介して受けた信号に基づいて、駆動部で車輪５１〜５４を適切に駆動できる。したがって、例えば、看護婦さんが、リモコンを使用して、患者をベッド毎、散歩につれ出すことや、患者が患者自身で所望の箇所に移動することができる。したがって、患者がより人間らしい生活を送ることができる。
【００８８】
尚、上記実施形態では、ベッドの上面１８が、人がベッドから離れることを想定されている角度以下の角度で静止可能であり、途中の状態で静止可能であったが、この発明では、ベッドの上面は、途中の状態で静止不可能であっても良い。
【００８９】
また、上記実施形態では、被覆部２とベッド本体１とが室を形成する第１状態で、室の内部と部とを連通する薬剤投入用通路２１を有していたが、この発明では、被覆部とベッド本体とが室を形成する第１状態で、薬剤投入用通路が存在しなくても良い。
【００９０】
また、上記実施形態では、カプセル状の被覆部２を有していたが、この発明では、被覆部が存在しなくても良い。尚、被覆部が存在しなくても、表示部や、生体情報検知部等の構成要素を、構築できることは言うまでもない。また、カプセル状の被覆部を有さない場合であっても、表示部が、テレビやＤＶＤや株価等の各種情報を表示可能であっても良い。
【００９１】
また、上記実施形態では、生体情報検知部９２と、送受信部４とを有していたが、この発明は、生体情報検知部と、送信部とを有し、受信機能を有していなくても良い。
【００９２】
また、上記実施形態では、生体情報検知部９２と、送受信部４とを有していたが、この発明では、生体情報検知部と、送受信部とのうちの少なくとも一方は存在しなくても良く、または、生体情報検知部と、送受信部とは、両方とも存在しなくても良い。
【００９３】
また、上記実施形態では、送受信部４を有していたが、この発明では、受信機構のみを有して送信機能を有していなくても良く、例えば、外部からの信号を受けて、ベッド本体の上面を傾斜させるようにしても良く、または、株価情報等の情報を外部から受信して、表示部に表示させるようにしても良い。また、本発明は、送信機能のみを有しても良く、受信機能も送信機能も両方とも存在しなくても良い。
【００９４】
また、上記実施形態では、有機ＥＬからなる表示部９１を有したが、この発明の表示部を、液晶モニタ等、有機ＥＬ以外の公知のモニタ等で構成しても良い。また、この発明では、表示部が存在しなくても良い。尚、表示部が、存在しなくて、生体情報検知部と送信部（または送受信部）が存在する場合、生体情報検知部が検知した生体情報を、送信部（または送受信部）を介して外部に送信できることは言うまでもない。
【００９５】
また、上記実施形態では、ベッドに操作部が存在していなくて、患者が自身がベッドを移動させることができなかったが、この発明では、バンドルと、ブレーキと、駆動部のスタートおよび停止を行う手段とを備えて、患者等が、ベッド本体の移動の情報を入力できる操作部を有していても良い。このようにして、患者が患者自身で所望の箇所に移動することができるようにして、患者がより人間らしい生活を送ることができるようにしても良い。尚、ベッド本体の移動の情報を入力するための操作部のあるなしに拘わらず、外部からのベッド本体の移動の情報を表す信号を受ける受信部を設けることができるのは言うまでもない。
【００９６】
また、上記実施形態では、上面傾斜機構３が、第１車軸３１と、第２車軸３２と、第１電動シリンダ３３と、第２電動シリンダ３４と、第１棒状部３５と、第２棒状部３６とを備えていたが、この発明では、上面傾斜機構は、例えば、ダンプカー等で使用されている荷台傾斜システム、すなわち、鉛直方向に伸縮するシリンダでベッド本体の底面を鉛直方向に押圧することで、ベッド本体の上面を傾斜させるようにしても良い。
【００９７】
また、上記実施形態では、上面傾斜機構３が、電動シリンダ３３,３４を有していたが、この発明では、上面傾斜機構は、油圧シリンダで構成されても良い。この発明では、上面傾斜機構は、周知の如何なる伸縮機構で構成されても良い。
【００９８】
また、上記実施形態では、ベッド本体１の上面１８は、平面であったが、この発明では、ベッド本体の上面は、湾曲面であっても良い。尚、この場合、上面の少なくとも二以上の点で、傾斜角度が、異なることになる。
【００９９】
また、上記実施形態では、被覆部を、ベッド本体に対して回動自在に取り付けられた軸に固定することによって、被覆部を開閉自在とした。しかしながら、この発明では、例えば、斜め前方に持ち上がるドア（ポップアップドア）に使用されているシステムと同じ機構で、被覆部の長手方向（ベッドの長手方向のこと）の一端部が、鉛直方向の上下に自在に移動することにより、被覆部が、開閉されるようになっていても良い。
【０１００】
また、本発明のベッドが、無線通信を行う場合、その無線通信は、赤外線や、ブルートゥースを用いても良く、それ以外の如何なる電磁波を用いても良い。
【０１０１】
また、本発明では、車輪が、存在する一方、車輪を駆動する駆動部が、存在しなくても良く、または、車輪自体も存在しなくても良い。また、上記実施形態および変形例で説明した構成のうちの二以上の構成を組み合わせて新たな実施形態を形成できることは、言うまでもない。
【符号の説明】
【０１０２】
１  ベッド本体
２  被覆部
３  上面傾斜機構
４  送受信部
５１,５２,５３,５４  車輪
１８  ベッド本体の上面
２１  薬剤投入用通路
３１  第１車軸
３２  第２車軸
３３  第１電動シリンダ
３４  第２電動シリンダ
３５  第１棒状部
３６  第２棒状部
６９  車輪姿勢調整部
７０  車輪用駆動モータ
７１  被覆開閉機構
９１  表示部
９２  生体情報検知部
１００  制御装置
【図１】
2017118901.tif 000003
【図２】
2017118901.tif 000004
【図３】
2017118901.tif 000005
【図４】
2017118901.tif 000006
【図５】
2017118901.tif 000007
【図６】
2017118901.tif 000008
【図７】
2017118901.tif 000009
【図８】
2017118901.tif 000010
【図９】
2017118901.tif 000011
【図１０】
2017118901.tif 000012
【図１１】
2017118901.tif 000013